(57)【要約】【課題】着用者の陰茎及び陰のうを、大腿部との接触を防止しつつ安定して保持できる男性用下半身衣類を提供する。【解決手段】男性用下着１は、パンツ本体１０及び架設部材５０を備える。パンツ本体１０には、着用者の下腹部及び臀部が収容される内側空間１５が形成されている。パンツ本体１０は、内側空間１５を前側から囲む前身頃部３０と、内側空間１５を下側から囲む股下部２０を備える。架設部材５０は、パンツ本体１０の内側において、前身頃部３０の上端部３１及び股下部２０を架設する。架設部材５０には、略上下方向に沿って並ぶ複数のボタン６１と、複数のボタン６１のそれぞれが係合可能な複数の周縁部６２が設けられる。【選択図】図２
2016003425.tif 000002
【特許請求の範囲】
【請求項１】
前身頃部と、前記前身頃部の両側縁部に連結する後身頃部と、前記前身頃部及び前記後身頃部のそれぞれの一方向側の端部である一端部を連結する股下部とを有し、前記股下部を挟んで並んで配置され、且つ前記前身頃部及び前記後身頃部のそれぞれの前記一端部と、前記股下部の一方又は他方の側縁部とによって囲まれる開口部である一対のレッグ開口部と、前記前身頃部及び前記後身頃部のそれぞれの、前記一端部とは反対の他端部によって囲まれ、前記一対のレッグ開口部のそれぞれと連通する開口部であるウエスト開口部とが形成されたパンツ本体と、
前記前身頃部と前記後身頃部との間に設けられ、前記前身頃部の前記他端部と前記股下部とを架設し、前記前身頃部の前記他端部と前記股下部との間において前記前身頃部から遊離する遊離部を有し、着用者の陰茎及び陰のうが挿通可能な孔部が前記遊離部に形成可能な架設部材と、
前記遊離部に形成される前記孔部の、前記前身頃部の前記他端部から前記股下部まで前記架設部材に沿って向かう方向である架設方向における長さを調整する調整手段と
を備えたことを特徴とする男性用下半身衣類。
【請求項２】
前記架設方向における前記架設部材の長さは、前記前身頃部と前記架設部材との連結部から前記股下部と前記架設部材との連結部に至る前記前身頃部に沿った最短距離よりも長いことを特徴とする請求項１に記載の男性用下半身衣類。
【請求項３】
前記架設部材は、前記遊離部に形成される前記孔部を前記股下部側から囲み、且つ、前記陰のうの基端側の部分と接触可能な接触部を備えたことを特徴とする請求項１又は２に記載の男性用下半身衣類。
【請求項４】
前記架設部材は、前記前身頃部の前記他端部に沿って並んで設けられ、且つ、互いに近接する側の縁部が厚さ方向に重なる一対の布部材を備え、
前記遊離部に形成される前記孔部は、前記互いに近接する側の縁部のそれぞれによって囲まれ、
前記調整手段は、
前記互いに近接する側の縁部の少なくとも一方に、前記架設方向に並んで設けられる複数の係止部と、
前記互いに近接する側の縁部の少なくとも他方に、前記複数の係止部のそれぞれに対応して前記架設方向に並んで設けられ、前記複数の係止部がそれぞれ係止可能な複数の被係止部とを備えたことを特徴とする請求項１から３のいずれかに記載の男性用下半身衣類。
【請求項５】
前記複数の被係止部は、前記前身頃部の前記他端部及び前記股下部の間に亘って、間隔を空けて設けられ、
前記複数の被係止部のうち並設方向の中央側に設けられる複数の前記被係止部の配置間隔は、前記他端部側及び前記股下部側のそれぞれに設けられる複数の前記被係止部の配置間隔よりも狭いことを特徴とする請求項４に記載の男性用下半身衣類。
【請求項６】
前記架設部材の延設方向のうち前記架設方向と交差する方向における前記架設部材の両側縁部の少なくとも一方は、前記前身頃部の前記他端部と前記股下部との間に亘って、前記前身頃部から遊離していることを特徴とする請求項１から５のいずれかに記載の男性用下半身衣類。
【請求項７】
前記架設部材の前記両側縁部は、いすれも、前記他端部と前記股下部との間に亘って前記前身頃部から遊離していることを特徴とする請求項６に記載の男性用下半身衣類。
【請求項８】
前記架設部材は、伸縮性を有することを特徴とする請求項１から７のいずれかに記載の男性用下半身衣類。
【発明の詳細な説明】
【技術分野】
【０００１】
本発明は、男性用下半身衣類に関する。
【背景技術】
【０００２】
従来、着用者の陰茎及び陰のうが大腿部と接触することを制限する男性用下半身衣類が知られている。例えば、特許文献１に開示される男性用下半身衣類の一例である男性用下着は、トランクス本体及び中布を備える。トランクス本体は、着用者の下腹部及び臀部を外側から覆う。中布は、トランクス本体の内側に設けられ、着用者の前ウエスト、股下部、及び後ウエストを覆う。中布の前側部には開口部が設けられる。中布のうち開口部の周縁部には、前側へ向けて立設する立設部が設けられる。陰茎及び陰のうは、着用者の大腿部側から開口部に挿通される。
【先行技術文献】
【特許文献】
【０００３】
【特許文献１】特開２００６−２６５８０７号公報
【発明の概要】
【発明が解決しようとする課題】
【０００４】
しかしながら、上記男性用下着では、着用者が、例えば歩行等の動作をする場合、又は姿勢を変える場合等に、陰茎及び陰のうが開口部よりも大腿部側まで戻ってしまう場合がある。従って、陰茎及び陰のうは、大腿部と接触しない位置で安定して保持されない可能性があった。
【０００５】
本発明の目的は、着用者の陰茎及び陰のうを、大腿部との接触を防止しつつ安定して保持できる男性用下半身衣類を提供することである。
【課題を解決するための手段】
【０００６】
本発明の一態様に係る男性用下半身衣類は、前身頃部と、前記前身頃部の両側縁部に連結する後身頃部と、前記前身頃部及び前記後身頃部のそれぞれの一方向側の端部である一端部を連結する股下部とを有し、前記股下部を挟んで並んで配置され、且つ前記前身頃部及び前記後身頃部のそれぞれの前記一端部と、前記股下部の一方又は他方の側縁部とによって囲まれる開口部である一対のレッグ開口部と、前記前身頃部及び前記後身頃部のそれぞれの、前記一端部とは反対の他端部によって囲まれ、前記一対のレッグ開口部のそれぞれと連通する開口部であるウエスト開口部とが形成されたパンツ本体と、前記前身頃部と前記後身頃部との間に設けられ、前記前身頃部の前記他端部と前記股下部とを架設し、前記前身頃部の前記他端部と前記股下部との間において前記前身頃部から遊離する遊離部を有し、着用者の陰茎及び陰のうが挿通可能な孔部が前記遊離部に形成可能な架設部材と、前記遊離部に形成される前記孔部の、前記前身頃部の前記他端部から前記股下部まで前記架設部材に沿って向かう方向である架設方向における長さを調整する調整手段とを備えたことを特徴とする。
【０００７】
上記構成によれば、着用者は、一対のレッグ開口部のそれぞれに両足を挿通し、さらにウエスト開口部にウエストを挿通させることで、男性用下半身衣類を着用する。着用者は陰茎及び陰のうを孔部に挿通させる。架設部材は、陰茎及び陰のうは保持する。ここで、着用者の陰茎及び陰のうと、大腿部との間には架設部材が介在する。従って、孔部に挿通された陰茎及び陰のうは、大腿部と接触することはない。また、着用者が調整手段で孔部の架設方向の長さを調整することで、架設部材は、陰茎及び陰のうが架設部材よりも大腿部側に移動することを阻止できる。以上より、着用者の陰茎及び陰のうを、大腿部との接触を防止しつつ安定して保持できる男性用下半身衣類を実現できる。
【０００８】
上記男性用下半身衣類において、前記架設方向における前記架設部材の長さは、前記前身頃部と前記架設部材との連結部から前記股下部と前記架設部材との連結部に至る前記前身頃部に沿った最短距離よりも長くてもよい。この場合、着用者の動作及び姿勢に関わらず、架設部材は架設方向に伸びきった状態になりにくく、陰茎及び陰のうの動きが制限されにくい。よって、男性用下半身衣類は、着用者の動作及び姿勢に関わらず、着用者に違和感を与えることなく、陰茎及び陰のうを安定して保持できる。
【０００９】
上記男性用下半身衣類において、前記架設部材は、前記遊離部に形成される前記孔部を前記股下部側から囲み、且つ、前記陰のうの基端側の部分と接触可能な接触部を備えてもよい。この場合、着用者の陰のうは孔部から垂れ下がり、接触部が着用者の陰のうに股下部側から接触する。孔部に挿通される陰のうは、大腿部側に更に戻りにくくなる。よって、男性用下半身下着は、陰のうを更に安定的に保持できる。
【００１０】
上記男性用下半身衣類において、前記架設部材は、前記前身頃部の前記他端部に沿って並んで設けられ、且つ、互いに近接する側の縁部が厚さ方向に重なる一対の布部材を備え、前記遊離部に形成される前記孔部は、前記互いに近接する側の縁部のそれぞれによって囲まれ、前記調整手段は、前記互いに近接する側の縁部の少なくとも一方に、前記架設方向に並んで設けられる複数の係止部と、前記互いに近接する側の縁部の少なくとも他方に、前記複数の係止部のそれぞれに対応して前記架設方向に並んで設けられ、前記複数の係止部がそれぞれ係止可能な複数の被係止部とを備えてもよい。この場合、着用者は、複数の係止部のうち、架設方向に沿って連続して並ぶ幾つかの係止部を、それぞれに対応する被係止部から取り外すことで、孔部の架設方向の長さを調整できる。また、一回目の着用時に、着用者は、必要な幾つかの係止部のみを、それぞれに対応する被係止部から取り外しておけば、孔部の架設方向における長さは維持される。二回目以降の着用時に、着用者は孔部の長さを調整する必要はない。よって、男性用下半身衣類の使い易さは向上する。
【００１１】
上記男性用下半身衣類において、前記複数の被係止部は、前記前身頃部の前記他端部及び前記股下部の間に亘って、間隔を空けて設けられ、前記複数の被係止部のうち並設方向の中央側に設けられる複数の前記被係止部の配置間隔は、前記他端部側及び前記股下部側のそれぞれに設けられる複数の前記被係止部の配置間隔よりも狭くてもよい。この場合、複数の被係止部の並設方向中央側に形成される孔部の架設方向における長さは、微調整し易くなる。着用者の陰茎及び陰のうは、複数の被係止部のうち並設方向の中央側に位置し易い。従って、架設部材に形成される孔部は、着用者の体格に応じて、陰茎及び陰のうが架設部材よりも大腿部側へ移動しにくい長さに調整され易くなる。よって、男性用下半身衣類は、陰茎及び陰のうを更に安定して保持できる。
【００１２】
上記男性用下半身衣類において、前記架設部材の延設方向のうち前記架設方向と交差する方向における前記架設部材の両側縁部の少なくとも一方は、前記前身頃部の前記他端部と前記股下部との間に亘って、前記前身頃部から遊離していてもよい。着用者は、遊離する縁部と前身頃部の間に形成される開口部を介して、孔部に挿通される陰茎及び陰のうの位置を手で調整できる。よって、陰茎及び陰のうは、着用者にとって違和感のない位置で保持される。
【００１３】
上記男性用下半身衣類において、前記架設部材の前記両側縁部は、いすれも、前記他端部と前記股下部との間に亘って前記前身頃部から遊離していてもよい。着用者は、架設部材の両側縁部のそれぞれと、前身頃部との間に形成される開口部を介して、両手を架設部材と前身頃部との間に配置できる。従って、着用者は、利き手が左右のどちらであっても、孔部に挿通される陰のうの保持位置を利き手で調整できる。従って、男性用下半身衣類の使い易さは更に向上する。
【００１４】
上記男性用下半身衣類において、前記架設部材は、伸縮性を有してもよい。この場合、架設部材が架設方向に緩みなく伸びた場合であっても、架設部材はさらに伸張可能である。よって、着用者の動作又は姿勢が変わっても、架設部材は架設方向に伸びきった姿勢に更になりにくい。よって、男性用下半身衣類は、陰茎及び陰のうを更に安定的に保持できる。
【図面の簡単な説明】
【００１５】
【図１】男性用下着１を正面側からみた斜視図である。
【図２】架設部材５０に孔部５５が形成されていない男性用下着１を背面側からみた斜視図である。
【図３】図１におけるＩ−Ｉ線矢視方向断面図である。
【図４】架設部材５０に孔部５５が形成された男性用下着１を背面側からみた斜視図である。
【図５】孔部５５が広げられた架設部材５０を正面側からみた斜視図である。
【図６】孔部５５が縮小した架設部材５０を正面側からみた斜視図である。
【図７】図１におけるＩ−Ｉ線矢視方向において、着用者が歩行する場合の男性用下着１の断面図である。
【図８】図１におけるＩ−Ｉ線矢視方向において、着用者が前かがみ姿勢となる場合の男性用下着１の断面図である。
【図９】第一変形例に係る男性用下着１１を背面側からみた斜視図である。
【図１０】第二変形例に係る男性用下着１２を背面側からみた斜視図である。
【図１１】第三変形例に係る男性用下着１３を背面側からみた斜視図である。
【図１２】第四変形例に係る男性用下着１４の架設部材５０を右方からみた縦断面図である。
【発明を実施するための形態】
【００１６】
以下、本発明の一実施形態である男性用下着１を、図面を参照して説明する。なお、図１における上側、下側、右側、左側、左下側、及び右上側を、それぞれ、男性用下着１の上側、下側、右側、左側、前側、及び後側とする。なお、図７におけるＷ１及び図８におけるＷ２で囲まれる領域内では、図１のＩ−Ｉ線矢視方向における拡大断面図を図示している。
【００１７】
図１〜図３を参照し、男性用下着１の構造を説明する。なお、図２においては、後述する後身頃部４０の一部を省略して図示している（図４、図９〜図１１も同様）。図１に示すように、男性用下着１はトランクス型のパンツである。男性用下着１は、パンツ本体１０及び架設部材５０(図２参照)を備える。パンツ本体１０は、着用者の下腹部及び臀部が収容される内側空間１５が形成された外装体である。パンツ本体１０は、例えば、綿から形成される。パンツ本体１０は、麻、絹、及びレーヨン等から形成されていてもよい。
【００１８】
パンツ本体１０は、後身頃部４０、前身頃部３０、及び股下部２０（図２参照）を備える。後身頃部４０は、内側空間１５を後側から囲む正面視で略矩形状の布体である。前身頃部３０は、内側空間１５を前側から囲む正面視で略矩形状の布体であり、略左右方向に並ぶ一対の布部材３２によって形成される。一対の布部材３２のうち、互いに離間する側の縁部は、それぞれ、後身頃部４０の左右両側縁部に縫い合わされている。一対の布部材３２のうち互いに近接する側の縁部同士は、上下方向略中央部に開口部３３が形成されるように縫い合わされている。開口部３３には、着用者の陰茎９（図７参照）が露出可能である。
【００１９】
図２に示すように、股下部２０は、平面視で略矩形状の布体であり、内側空間１５を下側から囲む。股下部２０は、一対の布部材３２（図１参照）の互いに近接する側の縁部の下部と、後身頃部４０の下端部４４とを連結する。本実施形態の股下部２０は前身頃部３０と一体的に形成されているが、後身頃部４０と一体的に形成されていてもよいし、前身頃部３０及び後身頃部４０とは別体で形成されていてもよい。
【００２０】
股下部２０の左右両側には、それぞれが内側空間１５と連通する一対のレッグ開口部１９が形成されている。一対のレッグ開口部１９は、内側空間１５の下側で股下部２０を挟んで左右に並んで配置される。一対のレッグ開口部１９は、それぞれ、一対の布部材３２のそれぞれの下端部３４と、後身頃部４０の下端部４４と、股下部２０の左側縁部又は右側縁部とによって囲まれている。
【００２１】
内側空間１５に対して一対のレッグ開口部１９とは反対側には、ウエスト開口部１７が形成されている。ウエスト開口部１７は、前身頃部３０の上端部３１及び後身頃部４０の上端部４１（図２参照）に縫い付けられた円環状のゴムバンド３５によって囲まれている。ウエスト開口部１７は、内側空間１５を介して、一対のレッグ開口部１９のそれぞれと連通する。
【００２２】
架設部材５０は、背面視で略矩形状の布体であり、前身頃部３０及び後身頃部４０の間に設けられる。架設部材５０は、上端部が前身頃部３０の上端部３１に縫い合わされ、且つ下端部が股下部２０に縫い合わされた布体である。架設部材５０は上端部３１及び股下部２０を架設する。以下、架設部材５０の上端部と前身頃部３０との連結部を第一連結部５７といい、架設部材５０の下端部と股下部２０との連結部を第二連結部５８という。第一連結部５７は、ゴムバンド３５と略同じ高さに設けられてもよいし、ゴムバンド３５よりも下側に設けられてもよい。
【００２３】
架設部材５０のうち、第一連結部５７及び第二連結部５８の間にある部分は、前身頃部３０に対して遊離する。第一連結部５７から第二連結部５８へ架設部材５０に沿って向かう方向（以下、「架設方向」という）における架設部材５０の長さは、前身頃部３０の延設方向に沿って、第一連結部５７から第二連結部５８に至る最短の距離Ｌ(図３参照)よりも長い。
【００２４】
架設部材５０は、上端部３１に沿って並ぶ布部材５１，５２を備える。布部材５１，５２は、例えば、ポリエステル繊維から形成されており、架設方向及び略左右方向に伸縮性を有する。布部材５１，５２は、ナイロン繊維、ポリウレタン繊維、及びウール繊維等の伸縮性を有する繊維から形成されていてもよい。布部材５１，５２は、これらの繊維で形成されていなくても、例えばメリヤス編み又はゴム編み等がなされることで、伸縮性を有してもよい。布部材５１は布部材５２の右側に配置される。布部材５１の左側縁部５１Ａ及び布部材５２の右側縁部５２Ａは、厚さ方向に重なっている。左側縁部５１Ａは右側縁部５２Ａの前側に位置する。
【００２５】
布部材５１の左側縁部５１Ａには、架設方向に沿って間隔を空けて並ぶ複数のボタン６１が設けられる。布部材５２の右側縁部５２Ａには、架設方向に沿って間隔を空けて並ぶスリット状の穴部６２Ａが複数設けられる。複数の穴部６２Ａは、それぞれ、複数のボタン６１に対応して設けられる。複数の穴部６２Ａは、それぞれ、周縁部６２によって囲まれている。複数のボタン６１の並設方向及び複数の周縁部６２の並設方向は、それぞれ、架設方向と略平行である。複数のボタン６１は、周縁部６２に係止することで、前側への移動が制限される。これにより、左側縁部５１Ａは右側縁部５２Ａに取り付けられる。なお、図２においては、図面を見易くするために、最下部にあるボタン６１、周縁部６２、及び穴部６２Ａのみに符号を付与している（図４、図９、及び図１０も同様）。
【００２６】
右側縁部５２Ａに設けられる複数の周縁部６２のうち、並設方向中央側に配置される複数の周縁部６２の配置間隔（寸法Ａ）は、上端部３１側及び股下部２０側のそれぞれに配置される複数の周縁部６２の配置間隔（寸法Ｂ）よりも狭い。同様に、左側縁部５１Ａに設けられる複数のボタン６１のうち、並設方向中央側に配置される複数のボタン６１の配置間隔は、上端部３１側及び股下部２０側のそれぞれに配置される複数のボタン６１よりも狭い。なお、並設方向中央側にある複数のボタン６１の配置間隔は、上端部３１側及び股下部２０にある複数のボタン６１の配置間隔と略一致してもよい。この場合であっても、左側縁部５１Ａが延設方向に沿って波型形状になることで、並設方向中央側にある複数のボタン６１は、それぞれに対応する周縁部６２に係止可能である。
【００２７】
図３に示すように、内側空間１５は、第一空間１５Ａ及び第二空間１５Ｂによって形成される。第一空間１５Ａは架設部材５０及び前身頃部３０の間に配置される空間である。第一空間１５Ａは、架設部材５０の架設方向の長さが距離Ｌ(図３参照)よりも長いために形成される。第二空間１５Ｂは架設部材５０及び後身頃部４０の間に配置される空間である。布部材５１の右側縁部５１Ｂと前身頃部３０との間、及び、布部材５２の左側縁部５２Ｂと前身頃部３０との間のそれぞれに形成される開口部５３（図２参照）を介して、第一空間１５Ａ及び第二空間１５Ｂは互いに連通している。なお、図３においては、複数のボタン６１の図示を省略している（図７及び図８も同様）。
【００２８】
図４〜図８を参照し、着用者が男性用下着１の一回目の着用を行う場合について説明する。図４に示すように、着用者は、複数のボタン６１のうち、並設方向中央側にある幾つか（例えば、五つ）のボタン６１を、それぞれに対応する周縁部６２から取り外す。架設部材５０の架設方向略中央側において、左側縁部５１Ａ及び右側縁部５２Ａが互いに離間することで、孔部５５が形成される。つまり、左側縁部５１Ａ及び右側縁部５２Ａのうち、互いに離間するそれぞれの部分が孔部５５を囲む周縁部となる。孔部５５の大きさは、着用者の陰茎９及び陰のう７（図５参照）の大きさよりもやや小さい方が好ましい。
【００２９】
着用者は、一対のレッグ開口部１９のそれぞれに両足を挿通した後に、下腹部及び臀部を第二空間１５Ｂ（図３参照）に収容しながらウエスト開口部１７にウエストを挿通することで、男性用下着１を着用する。ゴムバンド３５が着用者のウエストに取り付けられることで、男性用下着１のずり下がりは抑制される。
【００３０】
図５に示すように、着用者は、両手をパンツ本体１０（図４参照）の内側に配置させ、布部材５１の右側縁部５１Ｂ及び布部材５２の左側縁部５２Ｂを摘み、さらに布部材５１，５２が互いに離間するように左右方向に沿って引っ張る。孔部５５は、左右方向における開口量が増大するように変形する。
【００３１】
着用者は、左右方向に伸張した状態の架設部材５０の位置を調整しながら、孔部５５に陰茎９を挿通させ、その後、陰のう７を挿通させる。陰のう７が孔部５５に挿通しにくい場合、着用者は、例えば右手で、布部材５２の左側縁部５２Ｂを摘みながら、孔部５５を介して第二空間１５Ｂにある陰のう７を摘み、第一空間１５Ａまで移動させる。
【００３２】
なお、孔部５５が陰茎９及び陰のう７に対して小さ過ぎる場合、着用者は、孔部５５の上側又は下側にあるボタン６１（図４参照）を、対応する周縁部６２から取り外すことで、孔部５５の架設方向における長さを長くすればよい。また、孔部５５が陰茎９及び陰のう７に対して大き過ぎる場合、着用者は、陰茎９及び陰のう７を第一空間１５Ａに配置した後、例えば、右側縁部５２Ａから外れている五つのボタン６１のうち最上部又は最下部にあるボタン６１を、対応する周縁部６２に再び係止させることで、孔部５５の架設方向における長さを短くすればよい。並設方向中央側にある複数の周縁部６２の配置間隔は、上端部３１及び股下部２０側のそれぞれに配置される複数の周縁部６２の配置間隔に比べて狭い。従って、着用者は、孔部５５の架設方向における長さの微調整ができる。
【００３３】
図６に示すように、陰茎９及び陰のう７を第一空間１５Ａまで移動させた後、着用者は、布部材５１，５２から手を離す。これにより、孔部５５は縮小し元の形状に戻る。陰茎９及び陰のう７は、孔部５５の周縁部（左側縁部５１Ａ及び右側縁部５２Ａのそれぞれの一部）によって保持される。つまり、架設部材５０が陰茎９及び陰のう７を保持する。元の形状に戻った孔部５５は、陰茎９及び陰のう７よりもやや小さい。従って、陰茎９及び陰のう７のそれぞれの基端側部分は、着用者が不快に感じない程度に、孔部５５の周縁部によって適度に締め付けられる。また、陰のう７は、孔部５５から垂れ下がる。孔部５５から垂れ下がる陰のう７の基端側部分は、孔部５５よりも下側（股下部２０側）にある左側縁部５１Ａ及び右側縁部５２Ａ（以下、「下側部５４」という）と接触する(図７参照)。架設部材５０の架設方向における長さは、距離Ｌ（図３参照）よりも長い。これにより、下側部５４と、架設部材５０のうち孔部５５よりも上側にある部分（以下、「上側部５６」という）とは、やや緩んだ状態になる（図７参照）。
【００３４】
着用者は、二つの開口部５３（図４参照）のそれぞれに手を挿通し、保持されている陰茎９及び陰のう７の架設部材５０に対する位置を、第一空間１５Ａ内で調整する。これにより、着用者にとって違和感のない位置で、陰茎９及び陰のう７は保持される。
【００３５】
図７に示すように、着用者が歩行する場合、架設部材５０によって保持される陰茎９及び陰のう７は、上下に振れる。この場合であっても、孔部５５の周縁部が陰茎９及び陰のう７の基端側部分を締め付けるので、陰茎９及び陰のう７は第一空間１５Ａから第二空間１５Ｂへ移動することはない。着用者の陰のう７及び大腿部６の間には常に下側部５４が介在し、陰のう７及び大腿部６は、直接互いに接触することがない。従って、陰茎９及び陰のう７は蒸れにくくなるので、着用者は快適なはき心地を得ることができる。また、陰のう７の基端側部分は、下側部５４と接触することで、第二空間１５Ｂへの移動が更に制限される。
【００３６】
架設部材５０は緩んだ状態である。従って、陰茎９及び陰のう７の上下動に伴って、架設部材５０も緩んだ状態で上下に振れる。架設部材５０は、陰茎９及び陰のう７を第二空間１５Ｂへの移動を阻止するように孔部５５の周縁部で陰茎９及び陰のう７を適度に締め付けると同時に、陰茎９及び陰のう７と共に上下に振れることができる。つまり、陰茎９及び陰のう７は、第一空間１５Ａで安定して配置されることで蒸れが抑制されると同時に、着用者の歩行に伴って上下動が制限されることがない。これにより、着用者は更に快適なはき心地を得ることができる。なお、着用者が走行する場合(図示外)においても、陰茎９及び陰のう７は、第一空間１５Ａに安定して配置され、且つ上下動が制限されない。
【００３７】
図８に示すように、着用者が起立姿勢(図示外)から前かがみの姿勢になる場合、陰茎９及び陰のう７はパンツ本体１０に対して後方へ移動する。陰茎９及び陰のう７は、基端側部分が孔部５５の周縁部によって適度に締め付けているので、第二空間１５Ｂへの移動が阻止される。また、孔部５５の周縁部が陰茎９及び陰のう７を保持しているので、陰茎９及び陰のう７の後方への移動に伴って、上側部５６は架設方向に沿って伸ばされる。この場合であっても、上側部５６は、着用者が起立姿勢であったときに緩んでいるので、着用者が前かがみの姿勢になっても伸びきった姿勢になりにくい。仮に上側部５６が伸びきった後に、着用者が更に前かがみの姿勢になると、陰茎９及び陰のう７は、上側部５６による上方への付勢力に抗って後方へ移動し、孔部５５を通過して第二空間１５Ｂに戻る可能性がある。しかしながら、上側部５６が伸びきった姿勢になりにくいので、着用者が前かがみの姿勢になった場合でも、陰茎９及び陰のう７は第二空間１５Ｂに戻りにくく、第一空間１５Ａで安定して保持される。
【００３８】
また、上側部５６が架設方向に沿って緩みなく伸びた場合であっても、架設部材５０が伸縮性を有するので、上側部５６はさらに伸張可能である。つまり、上側部５６は伸びきった姿勢になりにくいので、陰茎９及び陰のう７は、第二空間１５Ｂに戻りにくい。また、上側部５６が伸びきった姿勢になりにくいので、陰茎９及び陰のう７は、後方への移動の制限が更にされにくくなる。
【００３９】
着用者は、男性用下着１を脱衣する場合、右側縁部５１Ｂ及び左側縁部５２Ｂを両手で摘み、孔部５５の左右方向における開口量が増大するように変形させ（図７参照）、陰茎９及び陰のう７を第二空間１５Ｂまで移動させる。五つのボタン６１が、それぞれに対応する周縁部６２から取り外されたた状態のまま、男性用下着１の洗濯を行っても、他の複数のボタン６１は、それぞれに対応する周縁部６２に係止されたままであり、孔部５５の架設方向における長さが変化することはない。着用者が男性用下着１を二回目以降に着用する場合には、着用者は孔部５５の架設方向における長さを調整することなく、男性用下着１を容易に着用できる。
【００４０】
以上、説明したように、男性用下着１を着用した着用者の陰茎９及び陰のう７は、孔部５５の周縁部によって保持される。陰茎９及び陰のう７と、大腿部６との間には、架設部材５０が介在する。これにより、陰茎９及び陰のう７は蒸れにくくなり、着用者は快適なはき心地を得ることができる。架設部材５０に形成される孔部５５の架設方向における長さは、複数の周縁部６２から取り外されるボタン６１の個数によって調整される。孔部５５の架設方向の長さを、陰茎９及び陰のう７の上下方向の長さよりも短くなるように着用者が調整することで、架設部材５０は、孔部５５に挿通された陰茎９及び陰のう７の、第二空間１５Ｂへの移動を阻止する。よって、着用者の陰茎９及び陰のう７を、大腿部６との接触を防止しつつ安定して第一空間１５Ａにて保持できる男性用下着１を実現できる。
【００４１】
架設部材５０の架設方向における長さは、距離Ｌ（図３参照）よりも長い。着用者が歩行する場合であっても、架設部材５０は、伸びきった状態になりにくく、保持する陰茎９及び陰のう７と共に上下に振れる。また、着用者が前かがみの姿勢になった場合であっても、架設部材５０は伸びきった状態になりにくいので、陰茎９及び陰のう７のパンツ本体１０に対する移動は制限されにくい。着用者は、陰茎９及び陰のう７を第一空間１５Ａにて保持されつつも、違和感のないはき心地を得ることができる。よって、男性用下着１は、着用者の姿勢及び動作に関わらず、着用者に違和感を与えることなく陰茎９及び陰のう７を安定して第一空間１５Ａにて保持できる。
【００４２】
また、下側部５４が着用者の陰のう７の基端側の部分に接触するので、陰のう７は第二空間１５Ｂに更に戻りにくくなる。よって、第一空間１５Ａにある陰のう７は、さらに安定的に保持される。
【００４３】
また、着用者による一回目の着用時に、複数のボタン６１がそれぞれに対応する周縁部６２から取り外されても、残りのボタン６１はそれぞれに対応する周縁部６２に係止されたままである。従って、男性用下着１が洗濯されても孔部５５の架設方向における長さは維持される。着用者は、二回目以降の着用時に、孔部５５の架設方向における長さを調整する必要がない。よって、男性用下着１の使い易さは向上する。また、それぞれに対応する周縁部６２から取り外す複数のボタン６１によって、架設部材５０に形成される孔部５５の位置が調整される。従って、着用者の陰茎９及び陰のう７の位置に応じた孔部５５が、架設部材５０に形成可能となる。
【００４４】
また、着用者は、開口部５３介して両手を第一空間１５Ａに進入させることで、第一空間１５Ａにある陰茎９及び陰のう７の保持位置を、着用者にとって違和感のない位置に調整できる。さらに、着用者の利き手が左右のいずれであっても、陰茎９及び陰のう７が保持される位置を第一空間１５Ａ内で利き手で調整できる。よって、男性用下着１の使い易さは更に向上する。さらに、第一空間１５Ａは、二つの開口部５３を介して、一対のレッグ開口部１９のそれぞれと連通する。従って、第一空間１５Ａに外気が導入可能となるので、着用者の陰茎９及び陰のう７は蒸れにくい。よって、着用者は更に快適なはき心地を得ることができる。
【００４５】
また、並設方向中央側にある複数の周縁部６２の配置間隔が、上端部３１側及び股下部２０側のそれぞれに設けられる複数の周縁部６２の配置間隔よりも狭い。着用者の陰茎９及び陰のう７は、右側縁部５２Ａの並設方向中央側に位置し易い。孔部５５は、着用者の体格によらず陰茎９及び陰のう７が配置され易い範囲において、架設方向における長さが微調整可能となる。架設部材５０に形成される孔部５５は、着用者の体格に応じて、陰茎９及び陰のう７が第二空間１５Ｂへ移動しにくい長さに調整され易くなる。よって、男性用下着１は、陰茎９及び陰のう７を更に安定して第一空間１５Ａにて保持できる。
【００４６】
また、架設部材５０は伸縮性を有する。従って、架設部材５０は、架設方向に緩みなく伸びた場合であっても、さらに伸張可能である。架設部材５０は伸びきった姿勢に更になりくい。よって、着用者の動作又は姿勢の変化に伴って、陰茎９及び陰のう７が移動する場合であっても、陰茎９及び陰のう７の移動は更に制限されにくくなる。よって、男性用下着１は、更に着用者に違和感を与えることなく、陰茎９及び陰のう７を安定して保持できる。
【００４７】
なお、男性用下着１は本発明の「男性用下半身衣類」の一例である。下端部３４，４４は本発明の「一端部」の一例である。上端部３１，４１は本発明の「他端部」の一例である。架設部材５０のうち第一連結部５７及び第二連結部５８の間にある部分は、本発明の「遊離部」の一例である。第一連結部５７は、「前身頃部と前記架設部材との連結部」の一例である。第二連結部５８は、「股下部と前記架設部材との連結部」の一例である。下側部５４は本発明の「接触部」の一例である。右側縁部５１Ｂ及び左側縁部５２Ｂは本発明の「両側縁部」の一例である。左側縁部５１Ａ及び右側縁部５２Ａは本発明の「互いに近接する側の縁部」の一例である。複数のボタン６１は本発明の「複数の係止部」の一例である。複数の周縁部６２は本発明の「複数の被係止部」の一例である。寸法Ａは本発明の「並設方向の中央側に設けられる複数の前記被係止部の配置間隔」の一例である。寸法Ｂは本発明の「前記他端部側及び前記股下部側のそれぞれに設けられる複数の前記被係止部の配置間隔」の一例である。距離Ｌは本発明の「最短距離」の一例である。
【００４８】
本発明は、上記実施形態に限定されるものではなく、本発明の要旨を逸脱しない範囲内での変更が可能である。本発明は、男性の下腹部を少なくとも覆う男性用下半身衣類に適用可能である。本発明は、トランクス型のパンツである男性用下着１に代えて、例えば、ブリーフ型のパンツ、ステテコ等の男性用下半身衣類にも適用してもよい。
【００４９】
また、架設部材５０のうち、第一連結部５７及び第二連結部５８の間にある全て部分が、前身頃部３０から遊離していなくてもよい。例えば、右側縁部５１Ｂ及び左側縁部５２Ｂのいずれか一方が、架設方向に亘って前身頃部３０に縫い付けられていてもよい。この場合であっても、右側縁部５１Ｂ及び左側縁部５２Ｂのいずれか一方が前身頃部３０から遊離しているので、第一空間１５Ａは、一対のレッグ開口部１９のいずれかを介して外気が導入可能となる。従って、着用者は快適なはき心地を得ることができる。
【００５０】
また、架設部材５０は、パンツ本体１０と異なる繊維から形成される代わりに、パンツ本体１０と同じ繊維で形成されていてもよい。この場合、パンツ本体１０が、ポリエステル繊維、ナイロン繊維、ポリウレタン繊維、及びウール繊維等から形成されることで伸縮性を有しもよい。また、架設部材５０が、綿、麻、絹、及びレーヨン等から形成されてもよい。
【００５１】
また、ボタン６１は、左側縁部５１Ａにのみ設けられていなくてもよい。例えば、ボタン６１は、左側縁部５１Ａ及び右側縁部５２Ａに、架設方向に沿って並んで設けられていてもよい。この場合、左側縁部５１Ａ及び右側縁部５２Ａのうち、複数のボタン６１と架設部材５０の厚さ方向に対向する部分には、周縁部６２によって囲まれる穴部６２Ａが設けられる。
【００５２】
また、周縁部６２は、並設方向の中央側にある周縁部６２の配置間隔が、中央側よりも上側及び下側のそれぞれに設けられる周縁部６２の配置間隔よりも狭いことに限定されない。例えば、図９に示す第一変形例に係る男性用下着１１のように、右側縁部５２Ａに設けられる周縁部６２が、架設方向に亘って均等間隔に設けられてもよい。また、図示しないが、複数の周縁部６２のうち、上端部３１側及び股下部２０側にそれぞれ配置される複数の周縁部６２の配置間隔は、互いに異なってもよい。
【００５３】
また、複数のボタン６１及び複数の周縁部６２は、それぞれ、第一連結部５７及び第二連結部５８の間に亘って設けられていなくてもよい。例えば、左側縁部５１Ａ及び右側縁部５２Ａのうち、上端部３１側及び股下部２０側のそれぞれの部分が、互いに縫い付けられていてもよい。
【００５４】
また、孔部５５は、着用者が一回目の着用をする場合に架設部材５０に形成されるが(図２、図４参照)、これに限定されない。例えば、図１０に示す第二変形例に係る男性用下着１２のように、架設部材５０の架設方向中央側にボタン６１及び周縁部６２が設けられていなくてもよい。この場合、男性用下着１２の一回目の着用前から、孔部５５が架設部材５０の架設方向中央部に形成される。一回目の着用時から孔部５５が形成されているので、架設部材５０のうち、陰茎９及び陰のう７が接触し易い部分を着用者は容易に認識できる。従って、男性用下着１２の使い易さは向上する。
【００５５】
架設部材５０に設けられるのは、複数のボタン６１(図４参照)及び複数の周縁部６２(図４参照)に限定されない。例えば、図１１に示す第三変形例に係る男性用下着１３のように、架設部材５０にファスナー７０が設けられてもよい。ファスナー７０は、第一務歯７１、第二務歯７２、及び二つのスライダー７３を備える。第一務歯７１は左側縁部５１Ａに設けられ、第二務歯７２は右側縁部５２Ａに設けられる。第一務歯７１及び第二務歯７２は、それぞれ、架設方向に沿って延びる。第一務歯７１及び第二務歯７２は、互いに係合可能である。二つのスライダー７３は、それぞれ、第一務歯７１及び第二務歯７２に沿ってスライド可能である。二つのスライダー７３が互いに離間する方向へ移動することで、第一務歯７１及び第二務歯７２の間には孔部５５(図４参照)が形成される。二つのスタイダ―７３の離間距離によって、孔部５５の架設方向の長さは調整可能である。
【００５６】
また、図１２に示す第四変形例に係る男性用下着１４のように、左側縁部５１Ａには、複数のボタン６１(図４参照)に代えて突起部材１６１が設けられ、右側縁部５２Ａには、周縁部６２(図４参照)に代えて被係止部材１６２が設けられてもよい。被係止部材１６２の前側部には、凹部１６２Ａが形成されている。複数の突起部材１６１は、それぞれに対応する凹部１６２Ａに係止する。この場合、着用者は、架設方向に連続して並ぶ幾つか（図１２は四個）の突起部材１６１を、それぞれに対応する凹部１６２Ａから取り外すことで、孔部５５が形成される。なお、図１２では、架設部材５０、複数の突起部材１６１、及び複数の被係止部材１６２以外の男性用下着１４が備える部材の図示を省略している。
【００５７】
また、図示しないが、突起部材１６１及び被係止部材１６２に代えてマジックテープ（登録商標）が設けられてもよい。
【符号の説明】
【００５８】
１，１１，１２，１３，１４    男性用下着
７          陰のう
９          陰茎
１０        パンツ本体
１７        ウエスト開口部
１９        一対のレッグ開口部
２０        股下部
３０        前身頃部
３１，４１  上端部
３４，４４  下端部
４０        後身頃部
５０        架設部材
５１，５２  布部材
５１Ａ      左側縁部
５１Ｂ      右側縁部
５２Ａ      右側縁部
５２Ｂ      左側縁部
５４        下側部
５５        孔部
５７        第一連結部
５８        第二連結部
６１        ボタン
６２        周縁部
７０        ファスナー
７１        第一務歯
７２        第二務歯
７３        スライダー
１６１      突起部材
１６２      被係止部材
Ａ，Ｂ      寸法
Ｌ          距離
【図１】
2016003425.tif 000003
【図２】
2016003425.tif 000004
【図３】
2016003425.tif 000005
【図４】
2016003425.tif 000006
【図５】
2016003425.tif 000007
【図６】
2016003425.tif 000008
【図７】
2016003425.tif 000009
【図８】
2016003425.tif 000010
【図９】
2016003425.tif 000011
【図１０】
2016003425.tif 000012
【図１１】
2016003425.tif 000013
【図１２】
2016003425.tif 000014